【手続補正書】
【提出日】平成28年10月4日(2016.10.4)
【手続補正１】
【補正対象書類名】特許請求の範囲
【補正対象項目名】全文
【補正方法】変更
【補正の内容】
【特許請求の範囲】
【請求項１】
複数のワイヤレスアクセス技術をサポートするモバイルデバイスにおいて使用するための装置であって、
第１の電力レベルで動作可能な第１の回路部分と、ここにおいて、前記第１の回路部分は、多くとも前記モバイルデバイスによってサポートされるすべてのワイヤレスアクセス技術を探索リストに基づいて探索するように動作可能な少なくとも１つの構成可能なサーチャを含む、
前記第１の電力レベルより高い電力レベルで動作するように構成された前記第１の回路部分に結合された第２の回路部分と、
を備え、ここにおいて、前記第２の回路部分は、前記モバイルデバイスによってサポートされるすべてのワイヤレスアクセス技術の信号を復号する受信機を含み、
少なくとも１つの構成可能なサーチャは、前記探索の間、前記モバイルデバイスによってサポートされるすべてのワイヤレスアクセス技術のうちの任意の前記ワイヤレスアクセス技術の信号が検知されると、トリガ信号を発生させ、ここにおいて、前記トリガ信号は、電力節約状態から前記検知された信号を復号するために前記より高い電力レベルへ前記第２の回路部分を遷移し、
前記第１の回路部分は、先行する検知された情報に基づいて、前記１つまたは複数のワイヤレスアクセス技術の前記探索リストを拡大する、または切り詰めるように前記リストを変更し、さらに前記探索リストを並べ替えるように構成された適応エンジンをさらに備える、装置。
【請求項２】
前記第１の回路部分は、
前記１つまたは複数のワイヤレスアクセス技術の受信された信号を格納するように構成されたバッファと、
前記第１の回路部分、および前記第２の回路部分における非リアルタイムプロセッサ以外の回路の少なくとも１つの回路の時間領域とは独立した時間領域内で、前記バッファの中に格納された前記受信された信号を処理するように構成された前記非リアルタイムプロセッサと
をさらに備える請求項１に記載の装置。
【請求項３】
前記先行する検知された情報は、信号強度と信号相関の少なくともいずれか１つを含む請求項１に記載の装置。
【請求項４】
前記第１の回路部分は、所定の周期性でアイドル状態または休止状態のいずれか１つから起動して、前記１つまたは複数のワイヤレスアクセス技術を周期的に検知するようにさらに構成され、前記周期性は、固定または可変のいずれかである請求項１に記載の装置。
【請求項５】
一次トランシーバは、前記第１の回路部分が前記１つまたは複数のワイヤレスアクセス技術の信号を検知する間、休止するように構成される請求項１に記載の装置。
【請求項６】
前記少なくとも１つのサーチャは、単一のワイヤレス技術における搬送波、または２つ以上のワイヤレス技術における搬送波の少なくともいずれか１つに関して、異なるワイヤレスキャリア周波数でエネルギーを測定することを含むことによって、前記１つまたは複数のワイヤレスアクセス技術の信号を検知するように構成される請求項１に記載の装置。
【請求項７】
前記１つまたは複数のワイヤレスアクセス技術の信号を検知することは、受信された信号を少なくとも１つの参照データと互いに関係付けることを含む請求項１に記載の装置。
【請求項８】
前記参照データは、少なくとも１つのスクランブル符号を備える請求項７に記載の装置。
【請求項９】
前記第１の回路部分は、
受信された信号を復調するように構成された復調器と、
前記１つまたは複数のワイヤレスアクセス技術に関するさらなる情報を復号するように構成された復号器と
を含む請求項１に記載の装置。
【請求項１０】
前記第１の回路部分は、前記１つまたは複数のワイヤレスアクセス技術を検知するために使用されるベースバンドプロセッサをさらに備える請求項１に記載の装置。
【請求項１１】
前記ベースバンドプロセッサは、プロセッサ、メモリ、および論理ハードウェアの１つまたは複数を含む請求項１０に記載の装置。
【請求項１２】
前記論理ハードウェアは、ワイヤレスアクセス技術のうちの部分集合を検知することを含むタスクの部分集合を処理するように構成される請求項１１に記載の装置。
【請求項１３】
前記第１の回路部分は、前記第１の回路部分に検知タスクを周期的に実行させる際に使用するための少なくとも１つのリアルタイムクロック領域タイマを含む請求項１に記載の装置。
【請求項１４】
前記第１の回路部分の少なくとも一部分は、前記第２の回路部分内の構成要素と比べて、より少ない漏れを備えて構成される請求項１に記載の装置。
【請求項１５】
前記第１の回路部分は、前記第２の回路部分内の１つまたは複数の第２の構成要素と同等の機能を有する１つまたは複数の第１の構成要素を備え、前記１つまたは複数の第１の構成要素は、前記１つまたは複数の第２の構成要素より低速で動作する請求項１に記載の装置。
【請求項１６】
前記１つまたは複数の第１の構成要素は、同等の機能を実行する際に、前記１つまたは複数の第２の構成要素よりも少ないエネルギーを消費するように構成される請求項１５に記載の装置。
【請求項１７】
前記モバイルデバイスは、アクセス端末装置を備える請求項１に記載の装置。
【請求項１８】
複数のワイヤレスアクセス技術をサポートするモバイルデバイスにおいて使用するための方法であって、
先行する検知された情報に基づいて、前記１つまたは複数のワイヤレスアクセス技術の探索リストを拡大する、または切り詰めるように前記リストを変更し、さらに前記リストを並べ替えること、
前記モバイルデバイス内の第２の回路部分が動作する、より高い電力レベルよりも低い電力レベルで動作するように構成された第１の回路部分を使用して、多くとも前記モバイルデバイスによってサポートされるすべてのワイヤレスアクセス技術を前記探索リストに基づいて探索すること、ここにおいて、前記第２の回路部分は、前記モバイルデバイスによってサポートされるすべてのワイヤレスアクセス技術の信号を復号するように構成される、および
前記探索の間、前記モバイルデバイスによってサポートされるすべてのワイヤレスアクセス技術のうちの任意の前記ワイヤレスアクセス技術の信号が検知されると、前記第２の回路部分を起動するように構成された起動トリガを発行すること、
ここにおいて、前記起動トリガは、電力節約状態から前記検知された信号を復号するために前記より高い電力レベルへ前記第２の回路部分を遷移する、を備える方法。
【請求項１９】
前記ワイヤレスアクセス技術の受信された信号をバッファリングすること、および
前記第１の回路部分、および前記第２の回路部分のうちの１つの回路の時間領域とは独立した時間領域内で、前記バッファリングされた、受信された信号を非リアルタイム処理することをさらに備える請求項１８に記載の方法。
【請求項２０】
前記先行する検知された情報は、信号強度と信号相関の少なくともいずれか１つを含む請求項１８に記載の方法。
【請求項２１】
所定の周期性で前記第１の回路部分を休止状態またはアイドル状態のいずれか１つから周期的に起動して、前記ワイヤレスアクセス技術を検索することをさらに備え、前記周期性は、固定または可変のいずれかである請求項１８に記載の方法。
【請求項２２】
前記第１の回路部分が１つまたは複数のワイヤレスアクセス技術を前記探索することを実行する期間中、前記第２の回路部分の一次トランシーバを休止させるように構成することをさらに備える請求項１８に記載の方法。
【請求項２３】
前記１つまたは複数のワイヤレスアクセス技術を探索することは、単一のワイヤレス技術における搬送波、または２つ以上のワイヤレス技術における搬送波の少なくともいずれか１つに関して、異なるワイヤレスキャリア周波数でエネルギーを測定することを含む請求項１８に記載の方法。
【請求項２４】
前記ワイヤレスアクセス技術を探索することは、受信された信号を少なくとも１つの参照データと互いに関係付けることを含む請求項１８に記載の方法。
【請求項２５】
前記参照データは、少なくとも１つのスクランブル符号を備える請求項２４に記載の方法。
【請求項２６】
前記１つまたは複数のワイヤレスアクセス技術の受信された信号を復調すること、および
前記復調された信号を復号して、前記１つまたは複数のワイヤレスアクセス技術に関するさらなる情報を特定することをさらに備える請求項１８に記載の方法。
【請求項２７】
前記１つまたは複数のワイヤレスアクセス技術を検知するために前記第１の回路部分のベースバンドプロセッサを使用することをさらに備える請求項１８に記載の方法。
【請求項２８】
前記ワイヤレスアクセス技術を探索することは、ワイヤレスアクセス技術のうちの部分集合を検知することを含むタスクの部分集合を処理することを含む請求項１８に記載の方法。
【請求項２９】
所定の周期性で前記ワイヤレスアクセス技術を探索することをさらに備え、前記周期性は、固定または可変のいずれかである請求項１８に記載の方法。
【請求項３０】
前記モバイルデバイスは、アクセス端末装置を備える請求項１８に記載の方法。
【請求項３１】
前記第１の回路部分の少なくとも一部分は、前記第２の回路部分内の構成要素と比べて、より少ない漏れを備えて構成される請求項１８に記載の方法。
【請求項３２】
前記第１の回路部分は、前記第２の回路部分内の１つまたは複数の第２の構成要素と同等の機能を有する１つまたは複数の第１の構成要素を備え、前記１つまたは複数の第１の構成要素は、前記１つまたは複数の第２の構成要素より低速で動作する請求項１８に記載の方法。
【請求項３３】
前記１つまたは複数の第１の構成要素は、同等の機能を実行する際に、前記１つまたは複数の第２の構成要素よりも少ないエネルギーを消費するように構成される請求項３２に記載の方法。
【請求項３４】
任意の前記ワイヤレスアクセス技術の信号が検知されると、前記第２の回路部分を起動するように構成された起動トリガを発行するための手段をさらに備える請求項１に記載の装置。
【請求項３５】
前記ワイヤレスアクセス技術の受信された信号をバッファリングするための手段と、
前記第１の回路部分、および前記第２の回路部分のうちの１つの回路の時間領域とは独立した時間領域内で、前記バッファリングされた、受信された信号を非リアルタイム処理するための手段と
をさらに備える請求項３４に記載の装置。
【請求項３６】
前記先行する検知された情報は、信号強度と信号相関の少なくともいずれか１つを含む請求項１に記載の装置。
【請求項３７】
所定の周期性で前記第１の回路部分を休止状態またはアイドル状態のいずれか１つから周期的に起動して、前記１つまたは複数のワイヤレスアクセス技術を検索するための手段をさらに備え、前記周期性は、固定または可変のいずれかである請求項１に記載の装置。
【請求項３８】
一次トランシーバは、前記第１の回路部分が前記１つまたは複数のワイヤレスアクセス技術の信号を検知する間、休止するように構成される請求項１に記載の装置。
【請求項３９】
前記１つまたは複数のワイヤレスアクセス技術の受信された信号を復調するための手段と、
前記復調された信号を復号して、前記１つまたは複数のワイヤレスアクセス技術に関するさらなる情報を解読するための手段と
をさらに備える請求項１に記載の装置。
【請求項４０】
前記第１の回路部分は、前記１つまたは複数のワイヤレスアクセス技術を検知するために使用されるベースバンドプロセッサを備える請求項１に記載の装置。
【請求項４１】
所定の周期性で前記１つまたは複数のワイヤレスアクセス技術を探索するための手段をさらに備え、前記周期性は、固定または可変のいずれかである請求項１に記載の装置。
【請求項４２】
前記第１の回路部分は、前記第２の回路部分内の１つまたは複数の第２の構成要素と同等の機能を有する１つまたは複数の第１の構成要素を備え、前記１つまたは複数の第１の構成要素は、前記１つまたは複数の第２の構成要素より低速で動作する請求項１に記載の装置。
【請求項４３】
前記１つまたは複数の第１の構成要素は、同等の機能を実行する際に、前記１つまたは複数の第２の構成要素よりも少ないエネルギーを消費するように構成される請求項４２に記載の装置。
【請求項４４】
前記モバイルデバイスは、アクセス端末装置を備える請求項１に記載の装置。
【請求項４５】
コンピュータに、先行する検知された情報に基づいて、１つまたは複数のワイヤレスアクセス技術の探索リストを拡大する、または切り詰めるように前記リストを変更し、さらに前記リストを並べ替えることを行わせるためのコードと、
コンピュータに、モバイルデバイスの一次無線トランシーバを含む第２の回路部分の電力レベルと比べて、より低い電力レベルで動作するように構成された第１の回路部分を使用して、多くとも前記モバイルデバイスによってサポートされるすべてのワイヤレスアクセス技術のうちの前記１つまたは複数のワイヤレスアクセス技術を前記探索リストに基づいて探索させるためのコードと、
前記モバイルデバイスによってサポートされるすべてのワイヤレスアクセス技術のうちの前記１つまたは複数のワイヤレスアクセス技術の少なくとも１つの所定のワイヤレスアクセス技術が検知されると、コンピュータに、前記第２の回路部分を起動するように構成された起動トリガを発行させるためのコードと
を備えるコンピュータ可読媒体。
【請求項４６】
コンピュータに、前記１つまたは複数のワイヤレスアクセス技術の受信された信号をバッファリングさせるためのコードと、
コンピュータに、前記第１の回路部分、および前記第２の回路部分における非リアルタイムプロセッサ以外の回路の少なくとも１つの回路の時間領域とは独立した時間領域内で、前記バッファリングされた、受信された信号を、前記非リアルタイムプロセッサにおいて、非リアルタイム処理させるためのコードと
をさらに備える請求項４５に記載のコンピュータ可読媒体。
【請求項４７】
前記先行する検知された情報は、信号強度と信号相関の少なくともいずれか１つを含む請求項４５に記載のコンピュータ可読媒体。
【請求項４８】
コンピュータに、所定の周期性で前記第１の回路部分をアイドル状態または休止状態のいずれか１つから周期的に起動して、前記１つまたは複数のワイヤレスアクセス技術を検索するようにさせるためのコードをさらに備え、前記周期性は、固定または可変のいずれかである請求項４５に記載のコンピュータ可読媒体。
【請求項４９】
前記第１の回路部分が１つまたは複数のワイヤレスアクセス技術を前記探索することを実行する期間中、前記第２の回路部分の前記一次トランシーバを休止させるように構成するためのコードをさらに備える請求項４５に記載のコンピュータ可読媒体。
【請求項５０】
前記１つまたは複数のワイヤレスアクセス技術を探索するためのコードは、単一のワイヤレス技術における搬送波、または２つ以上のワイヤレス技術における搬送波の少なくともいずれか１つに関して、異なるワイヤレスキャリア周波数でエネルギーを測定するためのコードを含む請求項４５に記載のコンピュータ可読媒体。
【請求項５１】
前記１つまたは複数のワイヤレスアクセス技術を探索するためのコードは、受信された信号を少なくとも１つの参照データと互いに関係付けるためのコードを含む請求項４５に記載のコンピュータ可読媒体。
【請求項５２】
前記参照データは、少なくとも１つのスクランブル符号を備える請求項５１に記載のコンピュータ可読媒体。
【請求項５３】
コンピュータに、前記１つまたは複数のワイヤレスアクセス技術の受信された信号を復調させるためのコードと、
コンピュータに、前記復調された信号を復号して、前記１つまたは複数のワイヤレスアクセス技術に関するさらなる情報を解読させるためのコードと
をさらに備える請求項４５に記載のコンピュータ可読媒体。
【請求項５４】
前記１つまたは複数のワイヤレスアクセス技術を検知するために前記第１の回路部分のベースバンドプロセッサを使用するためのコードをさらに備える請求項４５に記載のコンピュータ可読媒体。
【請求項５５】
前記１つまたは複数のワイヤレスアクセス技術を探索するためのコードは、ワイヤレスアクセス技術のうちの部分集合を検知することを含むタスクの部分集合を処理するためのコードを含む請求項４５に記載のコンピュータ可読媒体。
【請求項５６】
コンピュータに、所定の周期性で前記１つまたは複数のワイヤレスアクセス技術を探索させるためのコードをさらに備え、前記周期性は、固定または可変のいずれかである請求項４５に記載のコンピュータ可読媒体。
【請求項５７】
前記モバイルデバイスにアクセス端末装置をサポートさせるコードをさらに備える請求項４５に記載のコンピュータ可読媒体。
【請求項５８】
前記第１の回路部分の少なくとも一部分は、前記第２の回路部分内の構成要素と比べて、より少ない漏れを備えて構成される請求項４５に記載のコンピュータ可読媒体。
【請求項５９】
前記第１の回路部分は、前記第２の回路部分内の１つまたは複数の第２の構成要素と同等の機能を有する１つまたは複数の第１の構成要素を備え、前記１つまたは複数の第１の構成要素は、前記１つまたは複数の第２の構成要素より低速で動作する請求項４５に記載のコンピュータ可読媒体。
【請求項６０】
前記１つまたは複数の第１の構成要素は、同等の機能を実行する際に、前記１つまたは複数の第２の構成要素よりも少ないエネルギーを消費するように構成される請求項５９に記載のコンピュータ可読媒体。